(57)【要約】【課題】二重蓋の開閉操作とくに開操作が簡単で使い勝手に優れている等の利点を有する蓋装置およびこの蓋装置を備えたデジタルカメラを提供。【解決手段】筺体１１の一部に配置された、少なくとも記録媒体収納室２１の開口部２２及び外部機器との接続を行なうためのコネクタ部２３，２４を含む被保護部２０を保護するための蓋装置３０であって、前記被保護部２０を閉鎖する閉鎖位置ＣＰ１と開放する開放位置ＯＰ１との間を移動可能に設けられた第１の蓋（外蓋）３１と、前記第１の蓋３１の内側にあって、前記記録媒体収納室２１の開口部２２を閉鎖する閉鎖位置ＣＰ２と開放する開放位置ＯＰ２との間を移動可能に設けられた第２の蓋（内蓋）３２とを備え、前記第２の蓋３２は、前記第１の蓋３１の開操作に伴って、前記記録媒体収納室２１の開口部２２を開放する開放位置ＯＰ２に移動するように設けられたことを主たる特徴としている。【選択図】    図２
2004282127.tif 000002
【特許請求の範囲】
【請求項１】
筺体の一部に配置された、少なくとも記録媒体収納室の開口部及び電気部材を含む被保護部を保護するための蓋装置であって、
前記被保護部を閉鎖する閉鎖位置と開放する開放位置との間を移動可能に設けられた第１の蓋と、前記第１の蓋の内側にあって前記記録媒体収納室の開口部を閉鎖する閉鎖位置と開放する開放位置との間を移動可能に設けられた第２の蓋とを備え、
前記第２の蓋は、前記第１の蓋の開操作に伴って、前記記録媒体収納室の開口部を開放する開放位置に移動するように設けられたことを特徴とする蓋装置。
【請求項２】
前記電気部材は、外部機器との接続を行なうためのコネクタ部であることを特徴とする請求項１に記載の蓋装置。
【請求項３】
前記第２の蓋は、当該第２の蓋を開放位置へ移動させるべく付勢するばね部材を備えており、前記第１の蓋が開操作されたとき、当該ばね部材の付勢力で前記開放位置方向へ自ら移動するように設けられたことを特徴とする請求項１又は２に記載の蓋装置。
【請求項４】
前記第１の蓋が開放された状態において、前記第２の蓋を閉鎖位置に保持可能な保持手段と、この保持手段を解除する解除手段とを備えたことを特徴とする請求項１又は２又は３に記載の蓋装置。
【請求項５】
前記保持手段は、閉鎖位置に移動した前記第２の蓋を当該位置に係止可能な係止位置と当該位置に係止不能な非係止位置との間を移動可能に設けられた係止部材と、この係止部材を上記係止位置の方向へ変位させるべく付勢する付勢部材とを有することを特徴とする請求項４に記載の蓋装置。
【請求項６】
前記解除手段は、前記第１の蓋が閉鎖位置に移動したとき、当該第１の蓋の押圧力を受けて、前記係止部材を前記付勢部材による付勢力に抗して前記非係止位置へ移動操作する解除操作部材を含んでいることを特徴とする請求項５に記載の蓋装置。
【請求項７】
前記第２の蓋の開閉状態を検出する検出手段を備えたことを特徴とする請求項１ないし６のいずれか一つに記載の蓋装置。
【請求項８】
前記第２の蓋は、前記第１の蓋が閉鎖位置に移動するとき、当該第１の蓋に押されて前記開口部を閉鎖する位置に移動するように設けられていることを特徴とする請求項１ないし７のいずれか一つに記載の蓋装置。
【請求項９】
請求項１ないし８のいずれか一つに記載の蓋装置を備え、前記記録媒体収納室内に収納されている記録媒体に、撮影画像データを記録するように設けられたことを特徴とするデジタルカメラ。
【発明の詳細な説明】
【０００１】
【発明の属する技術分野】
この発明は、例えばデジタルカメラ等の携帯機器における蓋装置、すなわち少なくとも記録媒体収納室の開口部及び電気部材を含む被保護部を保護するための蓋装置、及びこの蓋装置を備えたデジタルカメラに関する。
【０００２】
【従来の技術】
一般に、デジタルカメラ等の携帯機器において用いられる画像データや音声データを記録するためのデータ記録媒体は、機器筐体に設けた記録媒体収納室に対しマニュアルで着脱操作がなされるように構成されている。因みに上記機器筐体に、データ記録媒体用の自動排出機構等を設けると、機器筐体の大型化を招く上、電池の消耗を増大させることになる。
【０００３】
上記の如く、データ記録媒体がマニュアルで着脱操作される構成の機器では、データ記録媒体への書込みや読み出し中において、ユーザーが誤ってデータ記録媒体を機器外部へ排出してしまうおそれがある。データ記録媒体がアクセス中に機器外部へ排出されると、書込み中のデータが無効になるばかりでなく、場合によっては記録媒体自体が破壊されるおそれがある。
【０００４】
このような事態が発生するのを回避するために、デジタルカメラ等の携帯機器では、一般に、記録媒体収納室の開口部等を保護蓋やロック機構などで閉鎖することにより、不用意なデータ記録媒体の排出操作を禁止するように工夫されている。
【０００５】
例えば、記録媒体収納室の開口部を開閉可能な蓋で覆うと共に、上記蓋の開閉を検出するためのセンサ（メモリカード蓋スイッチ）を設け、上記蓋の開放が検出された場合には書込み読み出し動作（アクセス）を禁止し、更にアクセス中に上記蓋が開けられた場合には、それまで行なわれていた動作を強制的に終了させるように制御して、データ記録媒体を保護するように構成されたものがある（特許文献１参照）。
【０００６】
ところで、デジタルカメラ等の携帯機器では、上記記録媒体収納室の開口部のほかにも、使用時以外は外部から遮蔽しておくことが望ましい箇所が幾つかある。すなわち電源供給用のＤＣジャック、データー入出力用のコネクタ（ＵＳＢ，ＮＴＳＣ）等は、導電性の部材を備えているので、常時外部に露出された状態のままであると、塵埃や雨滴などによって早期に損傷をきたすおそれがある。しかるに上記のような事態の発生を回避すべく、上記コネクタ部等を保護するための蓋を前記記録媒体収納室の開口部閉鎖用の蓋とは別に設けると、小型化を至上の命題とされるデジタルカメラ等の小型携帯機器を大型化させてしまうおそれがある。
【０００７】
上記問題を解決したものとして、上記記録媒体収納室の開口部及び当該開口部に近接配置されているコネクタ部等を単一の蓋で共通に覆うことにより、両者を同時に保護するように構成された電子カメラがある（特許文献２参照）。上記のものは機器の大型化を防ぐ上では好ましい。しかし、コネクタ部等に外部機器接続用ケーブルを接続した状態で使用するために蓋を開放した状態のまま使用した場合には、前述したデータ記録媒体の不用意な排出操作を禁止できないことになる。
【０００８】
ケーブル付き記録媒体を装着した場合でも、記録媒体の誤排出を防止するために、カード蓋の内部にカードの着脱を禁止するカードロックレバーを設けた構造のカメラが提案されている（特許文献３参照）。なおこのカメラはカード蓋を閉じる操作に連動してカードロックレバーをロック位置に移動させる手段を備えている。
【０００９】
また記録媒体収納室に隣接してスイッチが配設されたステレオセットにおいて、記録媒体収納室の開口部に内側蓋（小蓋）を設け、その外側に外側蓋（大蓋）を配置し、外側蓋（大蓋）を閉じたとき当該外側蓋に押されて前記内側蓋が閉じる構造の二重蓋構造が提案されている（特許文献４参照）。
【００１０】
【特許文献１】
特開２００１−２０３９２１号公報（段落［００１２］、図３）
【００１１】
【特許文献２】
特開２０００−１３１７４５号公報（段落［００１２］、図１）
【００１２】
【特許文献３】
特開２０００−１６５７１４号公報（段落［００３５］［００４２］、図３）
【００１３】
【特許文献４】
特開平１０−２５６７４８号公報  （段落［００４２］、図７）
【００１４】
【発明が解決しようとする課題】
特許文献３に示されているように、カード蓋の内部にカードの着脱を禁止するカードロックレバーを設けたもの、あるいは特許文献４に示されているように、記録媒体収納室の開口部に内側蓋（小蓋）を設け、その外側に外側蓋（大蓋）を設けて二重蓋構造としたものでは、記録媒体の誤排出を防止するための内側保護部材が、被保護部全体を覆うように設けた外側保護部材とは独立して設けられている。このためデジタルカメラ等の携帯機器の大型化を招かずに、しかも外側保護部材の開閉如何に拘わらず、内側保護部材によるデータ記録媒体の誤排出防止を図れる。しかし上記二つの特許文献３，４に示されているものでは保護部材が二重に設けられているが故に、開閉操作性が悪いという難点がある。すなわち閉操作する場合においては、外側保護部材を閉じるだけで内側保護部材が閉じるので、単一の蓋操作とほぼ同じ操作で済む。しかし開操作する場合においては、外側部材を開いたのち、更に内側部材の開放操作を行なう必要がある。つまり開操作する場合においては、通常の単一の蓋操作を行なう場合に比べて二倍の操作が必要になる。このため使い勝手が悪いという問題があった。
【００１５】
本発明は、このような事情に基づいてなされたものであり、その目的は、下記のような利点を有する蓋装置およびこの蓋装置を備えたデジタルカメラを提供することにある。
【００１６】
（ａ）  記録媒体収納室の開口部及び外部機器との接続を行なうためのコネクタ部等を含む被保護部を二重蓋で保護するものにおいて、上記二重蓋の開閉操作とくに開操作が簡単で、使い勝手に優れている。
【００１７】
（ｂ）  構成は簡単で容易に実施可能である。
【００１８】
【課題を解決するための手段】
前記課題を解決し目的を達成するために、本発明の蓋装置およびこの蓋装置を備えたデジタルカメラは下記のような特徴ある構成を有している。なお下記以外の特徴ある構成については実施形態の中で明らかにする。
【００１９】
（１）本発明の蓋装置は、筺体の一部に配置された、少なくとも記録媒体収納室の開口部及び電気部材（例えば外部機器との接続を行なうためのコネクタ部、更には電池収納室の開口部等）を含む被保護部を保護するための蓋装置であって、前記被保護部を閉鎖する閉鎖位置と開放する開放位置との間を移動可能に設けられた第１の蓋（外蓋）と、前記第１の蓋の内側にあって、前記記録媒体収納室の開口部を閉鎖する閉鎖位置と開放する開放位置との間を移動可能に設けられた第２の蓋（内蓋）とを備え、前記第２の蓋は、前記第１の蓋の開操作に伴って、前記記録媒体収納室の開口部を開放する開放位置に移動するように設けられたことを特徴としている。
【００２０】
上記蓋装置においては、記録媒体収納室の開口部及びコネクタ部等を同時にカバーする第１の蓋の内側に、記録媒体収納室の開口部のみを閉鎖する第２の蓋が設けられ二重蓋構造となっている。これにより、電気部材であるコネクタ部等を外部機器と接続して使用する場合や、記録媒体としてケーブル付き記録媒体を使用する場合等において、第１の蓋を開放した状態で使用せざるを得ない場合でも、データ記録媒体が不用意に排出操作されるおそれがない。そしてデータ記録媒体の挿脱が必要なときだけ第２の蓋を開閉すればよい。なお通常の使用に際しては、第１の蓋を開閉操作すると、これに伴って第２の蓋も開閉する。このため従来のように、開放時において第１の蓋を開放した後、第２の蓋を更に開放操作する手間が省ける。したがって通常の使用時においては従来の単一蓋と同じ操作感が得られる。
【００２１】
（２）本発明のデジタルカメラは、前記（１）などに記載の蓋装置を備え、前記記録媒体収納室内に収納されている記録媒体に、撮影画像データを記録しかつ上記撮影画像データを前記コネクタ部を介して入出力可能な如く設けられたことを特徴としている。
【００２２】
【発明の実施の形態】
図１は本発明の第一実施形態に係るデジタルカメラの外観を示す斜視図であり、図２は上記デジタルカメラの主要部の構成を示す斜視図である。図３は上記主要部の一部を拡大して示す斜視図である。図４の（ａ）は図２のＡ−Ａ線矢視断面図、図４の（ｂ）は図４の（ａ）の状態から内外両蓋を共に閉じた状態を示す断面図である。図５の（ａ）は図２のＡ−Ａ線矢視断面図、図５の（ｂ）は図５の（ａ）の状態から内蓋のみを単独で閉じた状態を示す断面図である。
【００２３】
図１〜図３に示すように、このデジタルカメラ１０は、前カバー１１ａと中カバー１１ｂと後カバー１１ｃとが一体的に結合された筺体１１を有している。
【００２４】
前カバー１１ａの前面部には、レンズバリア１２がガイド溝１３に案内されて図中左右方向へスライド可能に装着されている。このレンズバリア１２は、カメラ非使用時には、前カバー１１ａの内側に引き込まれた撮影レンズ１４の前面を覆うことにより、同撮影レンズ１４の保護を行なう。またカメラ使用時には、撮影レンズ１４の前面を開放して、同撮影レンズ１４の繰り出しを許容し、撮影動作を可能ならしめる。
【００２５】
前記中カバー１１ｂの上面部には、撮影開始を指示するレリーズボタン１５が設けられている。また前記後カバー１１ｃの背面上部にはファインダ接眼部１６が設けられている。
【００２６】
筺体１１の図中左側面のカバー部の内側には、保護部格納室２０が設けられている。この保護部格納室２０には、少なくとも記録媒体収納室２１の開口部２２及び電気部材を含む被保護部Ｘが配置されている。上記電気部材の例として、本実施形態では外部機器との接続をはかる為のコネクタ部２３，２４が例示されているが、電池収納室の開口部等であっても良い。
【００２７】
本実施形態では、記録媒体収納室２１はカード型のデータ記録媒体４０が装填されるカードスロットであり、コネクタ部２３はビデオ信号接続プラグ６１が挿着されるビデオ端子であり、コネクタ部２４はＵＳＢ接続プラグ６２が挿着されるＵＢＳ端子である。
【００２８】
かくしてこのデジタルカメラ１０は、前記記録媒体収納室２１に収納されるデータ記録媒体４０に、撮影画像データを記録し、かつ上記撮影画像データを前記コネクタ部２３，２４を介して入出力可能となっている。
【００２９】
上記被保護部Ｘは、筺体１１の図中左側面のカバー部に設けた蓋装置３０によって保護されるものとなっている。この蓋装置３０は、第１の蓋（外蓋）３１と、第２の蓋（内蓋）３２とからなる。
【００３０】
第１の蓋３１は、筐体１１に対し軸支機構３３によって回動可能に軸支されている。この第１の蓋３１は、図４及び図５に示されているように、前記被保護部Ｘを閉鎖する閉鎖位置ＣＰ１と、前記被保護部２０を開放する開放位置ＯＰ１との間を回動し得るものとなっている。
【００３１】
第２の蓋３２は、第１の蓋３１の内側にあって、筐体１１に対し軸支機構３４によって軸支されている。この第２の蓋３２は、図４及び図５に示されているように、記録媒体収納室２１の開口部２２を閉鎖する閉鎖位置ＣＰ２と、当該開口部２２を開放する開放位置ＯＰ２との間を回動し得るものとなっている。
【００３２】
前記軸支機構３４は、図３に示すように、一対の支持ブロック３４ａ，３４ｂによって支持されたシャフト３４ｃで第２の蓋３２の軸受部３２ａ、３２ｂを回動可能に軸支するものとなっている。上記シャフト３４ｃには、コイル状に巻回されたトーションばね部材３５のコイル部３５ｃが嵌め込まれている。上記ばね部材３５の一端部３５ａは、前記保護部格納室２０の底壁面に当接しており、上記ばね部材３５の他端部３５ｂは、第２の蓋３２の内面に当接している。このばね部材３５により、第２の蓋３２は開放位置ＯＰ２へ移動するように付勢される。
【００３３】
かくして前記第１の蓋３１が閉操作されて閉鎖位置ＣＰ１に移動する際、第２の蓋３２は第１の蓋３１の内面に突設されている押圧用突起部３１ａで押されて前記開口部２２を閉鎖する位置ＣＰ２に移動する。また第１の蓋３１が開操作されて開放位置ＯＰ１に移動する際、第２の蓋３２は前記ばね部材３５の付勢力（復元力）で前記開口部２２を開放する位置ＯＰ２へ自ら移動する。
【００３４】
ところで保護部格納室２０には、第１の蓋３１が開放された状態において、第２の蓋３２を閉鎖位置ＣＰ２に保持可能な保持手段と、この保持手段を解除する解除手段とを備えたレバー機構５０が設けられている。
【００３５】
このレバー機構５０は、図４及び図５に示すように、全体が略Ｙ字型をなすレバー部材を有している。この略Ｙ字型をなすレバー部材におけるＶ字部の一方は、先端部に係止爪を有する係止部材５１となっている。また上記レバー部材におけるＶ字部の他方は、先端部が係止部材５１の先端部と所定の開き角度をもって延びた解除操作部材５２となっている。上記レバー部材におけるＩ字部は、先端部が上記両部材５１，５２の先端部とは反対方向に延びたばね取付け部材５３となっている。上記レバー部材の中心部位は、軸５４で回動自在に軸支されている。ばね取付け部材５３には、付勢部材である引っ張りばね５５の一端が接続されている。引っ張りばね５５の他端は筐体１１の一部に固定されている。従って上記レバー部材は軸５４を中心として図４の（ａ）及び図５の（ａ）に矢印で示す方向へ回動するように付勢される。ストッパー５６は、引っ張りばね５５の付勢によるレバー部材の回動限界を規制している。
【００３６】
前記係止部材５１は、閉鎖位置ＣＰ２に移動した前記第２の蓋３２を当該位置ＣＰ２に係止可能な係止位置ＬＰと、当該位置ＣＰ２に係止不能な非係止位置ＵＰとの間を移動可能に設けられており、引っ張りばね５５によって係止位置ＬＰの方向へ変位するように付勢されている。上記係止部材５１と、引っ張りばね５５とは本発明の保持手段を構成している。
【００３７】
解除操作部材５２は、図４のように第１の蓋３１が閉鎖位置ＣＰ１に移動したとき、当該第１の蓋３１の先端部から押圧力を受けて、係止部材５１を引っ張りばね５５による付勢力に抗して非係止位置ＵＰへ移動操作する。この解除操作部材５２は本発明の解除手段を構成している。
【００３８】
保護部格納室２０には、前記第２の蓋３２の開閉状態を検出する検出手段としての検出スイッチ３７が設けられている。この検出スイッチ３７は前記第２の蓋３２の軸受部３２ａに突設された突起部３６によってオンオフ制御され、そのオンオフ信号を第２の蓋３２の開閉情報として出力するものとなっている。
【００３９】
次に、上記の如く構成された蓋装置の動作を、図４の（ａ）（ｂ）及び図５の（ａ）（ｂ）を参照して説明する。
【００４０】
（ｉ）第１の蓋３１及び第２の蓋３２の同時開閉動作
図４の（ａ）に示すように、第１の蓋３１及び第２の蓋３２が共に開いている状態から、第１の蓋３１を閉操作すると、これに伴い第２の蓋３２も閉動作する。そして図４の（ｂ）に示すように第１の蓋３１が閉鎖位置ＣＰ１に達すると第２の蓋３２も閉鎖位置ＣＰ２に達する。このとき、第１の蓋３１のロック用突部３１ｃ（図２参照）が筐体１１に設けてあるロック用凹部３８（図２参照）に係合するため、第１の蓋３１は閉鎖位置ＣＰ１に安定に保持される。また第２の蓋３２は背面を第１の蓋３１の押圧用突起部３１ａで押圧されるため、閉鎖位置ＣＰ２に安定に保持される。
【００４１】
この結果、第２の蓋３２によって記録媒体収納室２１の開口部２２（図２、図３参照）が閉鎖される。そして第２の蓋３２の突起部３６によって検出スイッチ３７の操作レバーが押されるため同検出スイッチ３７がオンとなる。このため第２の蓋３２の閉情報が出力される。
【００４２】
また第１の蓋３１によって上記第２の蓋３２及び被保護部Ｘを含んだ保護部格納室２０全部が閉鎖される。そして第１の蓋３１の端部３１ｂによって、レバー機構５０の解除操作部材５２の先端部が押圧される。このためレバー機構５０の係止部材５１は非係止位置ＵＰへ移動する。従って第２の蓋３２は閉鎖位置ＣＰ２での係止を解除された状態となる。
【００４３】
この状態から第１の蓋３１を開操作すると、ロック用突部３１ｃとロック用凹部３８との係合が外れ、第１の蓋３１は開放される。そうすると、係止解除状態にある第２の蓋３２もばね部材３５の付勢力で自から開動作する。この開動作により第２の蓋３２の突起部３６が検出スイッチ３７の操作レバーから開離するため、同検出スイッチ３７がオフとなる。このため第２の蓋３２の開情報が出力される。
【００４４】
第１の蓋３１の開放動作に伴って、当該第１の蓋３１の端部３１ｂがレバー機構５０の解除操作部材５２の先端部から開離する。このため、レバー機構５０は引っ張りばね５５の付勢力で回動し、係止部材５１が係止位置ＬＰへ変位する。ただし、第２の蓋３２の係合突起３９が係止可能な領域から離脱したのち、係止部材５１の先端部が係止位置ＬＰに達するように設計されているため、第２の蓋３２が開く前に当該第２の蓋３２が係止部材５１により係止されることはない。したがって第１の蓋３１及び第２の蓋３２は、図４の（ａ）に示す状態に開放される。
【００４５】
かくして第１の蓋３１の開閉に伴って第２の蓋３２が開閉するため、二重蓋構造でありながら、単一蓋の開閉操作と同一の操作感が得られる。
【００４６】
（ｉｉ）第２の蓋３２の単独開閉動作
図５の（ａ）に示すように、第１の蓋３１及び第２の蓋３２が共に開いている状態において、第２の蓋３２のみを閉操作すると、第２の蓋３２は回動して図５の（ｂ）に示すような状態になる。すなわち第２の蓋３２が閉鎖位置ＣＰ２に達すると、レバー機構５０が働いて、第２の蓋３２の係合突起３９が係止部材５１によって係止される。従って第２の蓋３２は閉鎖位置ＣＰ２に安定に保持される。この結果、（ｉ）の場合と同様に、第２の蓋３２によって記録媒体収納室２１の開口部２２が閉鎖されると共に、第２の蓋３２の突起部３６によって検出スイッチ３７がオンとなり第２の蓋３２の閉情報が出力される。
【００４７】
この状態において、レバー機構５０の解除操作部材５２を、矢印Ｆで示すように例えば指で押圧操作すると、係止部材５１による係合突起３９の係止が解除される。このため前述の場合と同様に、第２の蓋３２は、ばね部材３５の付勢力で自から開動作する。そして第２の蓋３２の突起部３６が検出スイッチ３７の操作レバーから開離するため、同検出スイッチ３７がオフとなり、第２の蓋３２の開情報が出力される。
【００４８】
かくして第１の蓋３１を開いた状態において、第２の蓋３２を単独で開閉動作させることが出来る。
【００４９】
（ｉｉｉ）第１の蓋３１による第２の蓋３２の開放動作］
図５の（ｂ）に示すように、第２の蓋３２が単独で閉じた状態となっているとき、第１の蓋３１を図４の（ｂ）に示すように閉じる。そうすると、（ｉ）で述べたように、第１の蓋３１の端部３１ｂによってレバー機構５０の解除操作部材５２の先端部が押圧されるため、レバー機構５０の係止部材５１が非係止位置ＵＰへ移動する。その結果、第２の蓋３２は閉鎖位置ＣＰ２での係止を解除される。したがってこの状態から第１の蓋３１を開操作すると、係止解除状態にある第２の蓋３２は、ばね部材３５の付勢力で自から開動作する。これ以外の動作に関しては、（ｉ）で述べた通りであるため説明を省略する。
【００５０】
（実施形態における特徴点）
［１］実施形態に示された蓋装置は、
筺体１１の一部に配置された、少なくとも記録媒体収納室２１の開口部２２及び電気部材（例えば外部機器との接続を行なうためのコネクタ部２３，２４、更には電池収納室の開口部等）を含む被保護部２０を保護するための蓋装置３０であって、
前記被保護部２０を閉鎖する閉鎖位置ＣＰ１と開放する開放位置ＯＰ１との間を移動可能に設けられた第１の蓋（外蓋）３１と、前記第１の蓋３１の内側にあって前記記録媒体収納室２１の開口部２２を閉鎖する閉鎖位置ＣＰ２と開放する開放位置ＯＰ２との間を移動可能に設けられた第２の蓋（内蓋）３２とを備え、前記第２の蓋３２は、前記第１の蓋３１の開操作に伴って、前記記録媒体収納室２１の開口部２２を開放する開放位置ＯＰ２に移動するように設けられたことを特徴としている。
【００５１】
上記蓋装置３０においては、記録媒体収納室２１の開口部２２及び電気部材であるコネクタ部２３，２４等を同時にカバーする第１の蓋３１の内側に、記録媒体収納室２１の開口部２２のみを閉鎖する第２の蓋３２が設けられ二重蓋構造となっている。これにより、コネクタ部２３，２４等を外部機器と接続して使用する場合や、記録媒体４０としてケーブル付き記録媒体を使用する場合等において、第１の蓋３１を開放した状態で使用せざるを得ない場合でも、データ記録媒体４０が不用意に排出操作されるおそれがない。そしてデータ記録媒体４０の挿脱が必要なときだけ第２の蓋３２を開閉すればよい。なお通常の使用に際しては、第１の蓋３１を開閉操作すると、これに伴って第２の蓋３２も開閉する。このため従来のように、開放時において第１の蓋３１を開放した後、第２の蓋３２を更に開放操作する手間が省ける。したがって通常の使用時においては従来の単一蓋と同じ操作感が得られる。
【００５２】
［２］実施形態に示された蓋装置は、前記［１］に記載の蓋装置３０であって、前記電気部材は、外部機器との接続を行なうためのコネクタ部であることを特徴としている。
【００５３】
［３］実施形態に示された蓋装置は、前記［１］又は［２］に記載の蓋装置３０であって、
前記第２の蓋３２は、当該第２の蓋３２を開放位置ＯＰ２へ移動させるべく付勢するばね部材３５を備えており、前記第１の蓋３１が開操作されたとき、当該ばね部材３５の付勢力で前記開放位置ＯＰ２の方向へ自ら移動するように設けられたことを特徴としている。
【００５４】
上記蓋装置３０においては、ばね部材３５の復元力を利用して第２の蓋３２を開放位置ＯＰ２へ移動させるようにしているので、電動式駆動機構を設けたり、第１、第２の蓋相互間に連動機構を介在させたりする必要がなく、構成が簡単なものとなる。
【００５５】
［４］実施形態に示された蓋装置は、前記［１］又は［２］又は［３］に記載の蓋装置３０であって、
前記第１の蓋３１が開放された状態において、前記第２の蓋３２を閉鎖位置ＣＰ２に保持可能な保持手段と、この保持手段を解除する解除手段とを備えたことを特徴としている。
【００５６】
上記蓋装置３０においては、第１の蓋３１が開放された状態において、第２の蓋３２のみを閉鎖状態となし得、且つその状態を安定に保持し得る。またその保持状態を適時開放状態にすることも出来る。
【００５７】
［５］実施形態に示された蓋装置は、前記［４］に記載の蓋装置３０であって、前記保持手段は、閉鎖位置ＣＰ２に移動した前記第２の蓋３２を当該位置ＣＰ２に係止可能な係止位置ＬＰと当該位置ＣＰ２に係止不能な非係止位置ＵＰとの間を移動可能に設けられた係止部材５１と、この係止部材５１を上記係止位置ＬＰの方向へ変位させるべく付勢する付勢部材５５と、を有することを特徴としている。
【００５８】
上記蓋装置３０においては、前記第２の蓋３２を閉鎖位置ＣＰ２に移動させると、常に係止位置ＬＰに変位する如く付勢されている係止部材５１によって確実に係止される。
【００５９】
［６］実施形態に示された蓋装置は、前記［５］に記載の蓋装置３０であって、前記解除手段は、前記第１の蓋３１が閉鎖位置ＣＰ１に移動したとき、当該第１の蓋３１の押圧力を受けて、前記係止部材５１を前記付勢部材５５による付勢力に抗して前記非係止位置ＵＰへ移動操作する解除操作部材５２を含んでいることを特徴としている。
【００６０】
上記蓋装置３０においては、第１の蓋３１が閉鎖位置ＣＰ１へ移動するだけで、係止部材５１による係止が外れて、第２の蓋３２の保持が自動解除される。したがって第１の蓋３１を開放したのち、第２の蓋３２の保持を解除するための操作を格別に行なわなくとも、第２の蓋３２は自然に開くことになる。このため通常の使用状態においては、従来の単一蓋の場合と全く同じ操作感が得られる。
【００６１】
［７］実施形態に示された蓋装置は、前記［１］〜［６］のいずれか一つに記載の蓋装置３０であって、前記第２の蓋３２の開閉状態を検出する検出手段３４を備えたことを特徴としている。
【００６２】
上記蓋装置３０においては、上記第２の蓋３２の開放が検出された場合に、書込み読み出し動作（アクセス）を禁止し、更にアクセス中に上記第２の蓋３２が開けられた場合には、それまで行なわれていた動作を強制的に終了させるように制御して、データ記録媒体４０等を保護するように構成することが可能となる。
【００６３】
［８］実施形態に示された蓋装置は、前記［１］〜［７］のいずれか一つに記載の蓋装置であって、
前記第２の蓋３２は、前記第１の蓋３１が閉鎖位置ＣＰ１に移動するとき、当該第１の蓋３１に押されて前記開口部２２を閉鎖する位置ＣＰ２に移動するように設けられていることを特徴としている。
【００６４】
［９］実施形態に示されたデジタルカメラは、前記［１］〜［８］のいずれか一つに記載の蓋装置３０を備え、前記記録媒体収納室２１内に収納されている記録媒体４０に、撮影画像データを記録するよう設けられたことを特徴としている。
【００６５】
（変形例）
実施形態に示された蓋装置は、下記の変形例を含んでいる。
【００６６】
・図４の（ｂ）の状態から第１の蓋３１及び第２の蓋３２を開放させる場合において、当該第２の蓋３２の係合突起３９が係止部材５１により係止されるのを確実に防ぐ手段として、第１の蓋３１の先端部３１ｂとレバー機構５０の解除操作部材５２の先端部との間に、ばね性を有する部材を介在させることにより、係止部材５１が係止位置ＬＰに達するタイミングを遅延させるようにしたもの。
【００６７】
【発明の効果】
本発明によれば、下記のような作用効果を奏する蓋装置およびこの蓋装置を備えたデジタルカメラを提供できる。
【００６８】
通常の使用に際しては、第１の蓋を開閉操作すると、これに伴って第２の蓋も開閉する。このため従来のように、開放時において第１の蓋を開放した後、第２の蓋を更に開放操作する手間が省ける。したがって通常の使用時においては従来の単一蓋と同じ操作感が得られる。かくして記録媒体収納室の開口部及び外部機器との接続を行なうためのコネクタ部等を含む被保護部を二重蓋で保護するものにおいて、上記二重蓋の開閉操作とくに開操作が極めて簡単で、使い勝手に優れている。なお構成は簡単で容易に実施可能である。
【図面の簡単な説明】
【図１】本発明の第一実施形態に係るデジタルカメラの外観を示す斜視図。
【図２】本発明の第一実施形態に係るデジタルカメラの主要部（蓋装置）の構成を示す斜視図。
【図３】本発明の第一実施形態に係る上記主要部（蓋装置）の一部を拡大して示す斜視図。
【図４】本発明の第一実施形態に係る蓋装置の構成及び動作を示す図で、図４の（ａ）は図２のＡ−Ａ線矢視断面図、図４の（ｂ）は図４の（ａ）の状態から内外両蓋を共に閉じた状態を示す断面図。
【図５】本発明の第一実施形態に係る蓋装置の構成及び動作を示す図で、図５の（ａ）は図２のＡ−Ａ線矢視断面図、図５の（ｂ）は図５の（ａ）の状態から内蓋のみを単独で閉じた状態を示す断面図。
【符号の説明】
１０  デジタルカメラ
１１  筺体
２０  保護部格納室
Ｘ  被保護部
２１  記録媒体収納室
２２  開口部
２３，２４  コネクタ部
３０  蓋装置
３１  第１の蓋（外蓋）
３２  第２の蓋（内蓋）
３５  ばね部材
３６  突起部
３７  検出スイッチ
３９  係合突起
５０  レバー機構
５１  係止部材
５２  解除操作部材
５３  ばね取付け部材
５４  軸
５５  引っ張りばね（付勢部材）
【図１】
2004282127.tif 000003
【図２】
2004282127.tif 000004
【図３】
2004282127.tif 000005
【図４】
2004282127.tif 000006
【図５】
2004282127.tif 000007